(57)【特許請求の範囲】
【請求項１】
床面に置く本体脚フレームと、この本体脚フレームに取り付けられた背もたれ部と、前記本体脚フレームに設けられた座席とを備え、
前記座席は、前記本体脚フレーム及び前記背もたれ部に対して揺動可能に設けられており、
前記座席に取り付けられた揺動発生手段が、前記背もたれ部を揺動させないで、当該座席を前記本体脚フレーム及び前記背もたれ部に対して強制揺動させる椅子であって、
前記揺動発生手段は、竪回転軸回りに回転する回転体と、回転体に偏心的に装着されたウエイトと、回転体駆動モータとからなり、
前記座席は座席フレームを有し、
前記本体脚フレームに支持フレームが固定され、この支持フレームの後端部に前記背もたれ部が取り付けられ、かつ、この支持フレームに複数のフレキシブルマウントを介して前記座席フレームが取付けられ、
前記座席フレームの上側には布ばねを介して座席シートが設けられ、前記座席フレームの下側には懸吊部材を介して取付板が設けられ、前記ウエイトが前記フレキシブルマウントよりも低い位置となるようにして前記取付板の下に前記揺動発生手段が取り付けられ、前記座席フレームと当該揺動発生手段とが共に前記支持フレームに対して動作することを特徴とする椅子。
【請求項２】
前記ウエイトが支持体を介して回転体の軸心に対して直交する方向に移動可能で、ウエイトをその回転に伴う遠心力に逆らう方向に常時付勢するコイルばね等からなる付勢手段が設けられていることを特徴とする請求項１に記載の椅子。
【発明の詳細な説明】
【０００１】
【発明の属する技術分野】
本発明は、椅子、特に椅子型マッサージ機として構成されるものに関する。
【０００２】
【従来の技術】
一般に、この種マッサージ機としては、図８に例示するものが知られている。このマッサージ機５１は、本体脚フレーム５２上に取付けられた座席５３と、座席５３に対して前後方向に起倒可能とされかつ内部にマッサージ装置部５４を具備した背もたれ部５５と、座席５３の両側に設けた肘掛（手すり）部５６と、フットレスト５７とにより主構成されている。マッサージ装置部５４には、一対又は二対の揉み具５８及び揉み具５８に各種の揺動運動を付与する駆動部（図示省略）が具備されており、このマッサージ装置部５４が背もたれ面５５Ａに沿って上下動して、揉み具５８が人体の頸部から腰部までの間をローリング或いは揉みながらローリングするなどの動作を行なって、人体をマッサージするようになっている。
【０００３】
【発明が解決しようとする課題】
ところで、上記従来技術では、種々のマッサージ効果を発揮せしめることができるという利点がある。しかし、リラクゼーション効果、即ち緊張をときほぐしてくつろぐことが十分でない。
本発明は、上述のような実状に鑑みてなされたもので、その目的とするところは、リラクゼーション効果を高めることができる椅子を提供するにある。
【０００４】
【課題を解決するための手段】
本発明では、上記目的を達成するために、次の技術的手段を講じた。即ち、本発明の特徴は、床面に置く本体脚フレームと、この本体脚フレームに取り付けられた背もたれ部と、前記本体脚フレームに設けられた座席とを備え、前記座席は、前記本体脚フレーム及び前記背もたれ部に対して揺動可能に設けられており、前記座席に取り付けられた揺動発生手段が、前記背もたれ部を揺動させないで、当該座席を前記本体脚フレーム及び前記背もたれ部に対して強制揺動させる椅子であって、前記揺動発生手段は、竪回転軸回りに回転する回転体と、回転体に偏心的に装着されたウエイトと、回転体駆動モータとからなり、前記座席は座席フレームを有し、前記本体脚フレームに支持フレームが固定され、この支持フレームの後端部に前記背もたれ部が取り付けられ、かつ、この支持フレームに複数のフレキシブルマウントを介して前記座席フレームが取付けられ、前記座席フレームの上側には布ばねを介して座席シートが設けられ、前記座席フレームの下側には懸吊部材を介して取付板が設けられ、前記ウエイトが前記フレキシブルマウントよりも低い位置となるようにして前記取付板の下に前記揺動発生手段が取り付けられ、前記座席フレームと当該揺動発生手段とが共に前記支持フレームに対して動作する点にある。
【０００５】
この場合、座席が揺動するために、座席上の人体が適度に揺れ、心地よい揺れにより座席上の使用者の緊張感がほぐされる。しかも、座席は、本体脚フレーム及び背もたれ部に対して強制揺動可能に設けられているから、座席が揺動しても、本体脚フレームに設けられた背もたれ部は揺動しない。背もたれ部が揺動すると上半身が揺らされることとなり、船酔いに似た現象を起こす場合があるが、背もたれ部が本体脚フレームに設けられていることでこれが防止されている。
【０００６】
また、本発明では、前記座席は座席フレームを有し、前記本体脚フレームに支持フレームが固定され、この支持フレームの後端部に前記背もたれ部が取り付けられ、かつ、この支持フレームに複数のフレキシブルマウントを介して前記座席フレームが取付けられ、この座席フレームに前記揺動発生手段が取付けられ、当該座席フレームと当該揺動発生手段とが共に前記支持フレームに対して動作する。したがって、揺動発生手段により発生した揺動運動がフレキシブルマウントとの協働作用により、座席を適度に揺動させ、座席上の人体に揺動運動を伝達して心地よい揺れを感じさせる。
【０００７】
前記揺動発生手段としては、竪回転軸回りに回転する回転体と、回転体に偏心的に装着されたウエイトと、回転体駆動モータとから構成することができる。
この場合、前記ウエイトが支持体を介して回転体の軸心に対して直交する方向に移動可能で、ウエイトをその回転に伴う遠心力に逆らう方向に常時付勢するコイルばね等からなる付勢手段が設けられているものとすれば好適である。
【０００８】
この場合、回転体の停止時には、ウエイトは付勢手段により回転体の軸心側に位置しているが、回転開始後回転数が増すにつれて遠心力即ち慣性モーメントが漸次増大し、ウエイトが回転体の軸心から遠ざかる方向に移動する。したがって、ウエイトの回転開始時における慣性モーメントは小さく、モータの駆動トルクが小さくてもよいから、モータを小形化できる。
【０００９】
また、本発明は、前記座席の揺動が、任意の音楽に同期して、強・弱変化するように構成されているので、リズミカルに座席が揺動し、座席上の使用者に心地よい揺れを感じさせ、音楽と揺動の相互作用により、一層のリラクゼーション効果を発揮させることができる。
【００１０】
【発明の実施の形態】
以下、本発明の実施の形態を図面に基づき説明する。
図１，図２は、本発明に係る椅子型マッサージ機１のマッサージ装置部を省略した全体概略構成図を示している。
マッサージ機１は、左右の本体脚フレーム２と、左右のフレーム２間に取付けられた支持フレーム３と、該支持フレーム３の後端部に前後方向起倒可能に取付けられた背もたれ部４と、前記支持フレーム３上に、４個のフレキシブルマウント５（本実施形態ではコイルばね）を介して取付けられた座席フレーム６を含む座席７と、前記座席フレーム６の下側に取付けられた回転型揺動発生手段８と、フットレスト９及び手摺１０により主構成されている。
【００１１】
前記本体脚フレーム２は、木製で図３にも示しているように、側面略視コ字状のフレーム材２Ａを左右に間隔をもってかつ前後逆向きとなるように配置し、前記支持フレーム３を構成する左右方向に延びる横材３Ａの両端を前後のフレーム材２Ａ間に挟むようにして固定ねじ１１（六角孔付）により相互に着脱可能に固着連結されており、各フレーム材２Ａの上端に左右の木製手摺１０が夫々取付部材１２を介して着脱可能に取付けられている。
【００１２】
前記支持フレーム３は、前記横材３Ａと、横材３Ａの左右両端部にフレーム材２Ａの内側に位置して前後方向に直交状に固着連結された縦材３Ｂ，３Ｂと、縦材３Ｂの前端下面に固着された前端連結材３Ｃとから成っており、縦材３Ｂの後端外側面に背もたれ取付ボス１３が固着され、前端連結材３Ｃの下面に背もたれ起倒用電動シリンダ（図示省略）が取付けられるブラケット１４が固着されている。
【００１３】
なお、前記背もたれ４は、その下端部が前記ボス１３に図外の軸を介して起倒回動可能に取付けられ、その内部にマッサージ装置部（図示省略）が配設され、図外の駆動及び制御装置により操作されるようになっている。
前記縦フレーム３Ｂの前後端部上には、コイルばね等からなるフレキシブルマウント５を介して、略方形状の座席フレーム６が載設されている。
【００１４】
座席フレーム６には、その下側に固着された前後の懸吊部材１５を介して、前記揺動発生手段８の取付板１６が固着されており、図３に示すように、座席フレーム６の前端左右両側部に、フットレストフレーム１７が上下方向に揺動可能に取付けられている。
そして、後側の前記懸吊部材１５の一端部寄りには、シリンダ取付ブラケット１８が固着され、フットレストフレーム１７にも前記ブラケット１８に対応してシリンダ取付ブラケット１９が固着されており、両ブラケット１８，１９間にフットレスト上下駆動シリンダ２０が取付けられている（図３参照）。
【００１５】
また、座席フレーム６上には、布ばね２１を介して座席シート７Ａが取付けられ、座席７がフレキシブルマウント５により揺動自在に支持されている。
前記揺動発生手段８は、前記取付板１６に着脱可能に取付けられ、図４〜図７に示すように、取付天板２２と、天板２２の下側に間隔材２３を介して平行に設けられた基板２４と、基板２４の下側に連結材２５により間隔をもって吊下状にかつ着脱可能に連結された下部支持板２６と、該支持板２６と基板２４の間に位置して軸受２７，２８及び竪回転軸２９を介して回転自在に取付けられた回転体３０と、回転体３０に装着されたウエイト３１と、前記回転軸２９の上端に基板２４上に位置して固着された従動プーリ３２と、基板２４にその下側に位置して上向きに取付けられた駆動モータ３３（スピードコントロール付電動モータ）と、モータ３３の出力軸３４に基板２４上に位置して固着された駆動プーリ３５と、両プーリ３２，３５に巻掛けられた電動ベルト３６とにより構成されている。
【００１６】
そして、前記取付天板２２が、前記取付板１６にボルト・ナット等の固定手段により着脱可能に取付けられている。
前記回転体３０は、平面視長方形で左右両端部に、前記回転軸２９と直交しかつ互いに平行な水平貫通孔３７，３７が設けられ、ウエイト支持棒３８，３８が前記貫通孔３７にスライドベアリング３９，３９を介して、摺動自在に挿通されており（図７参照）、各ウエイト支持棒３８の一端に前記ウエイト３１が、ナット４０により固定されている。
【００１７】
また、前記ウエイト支持棒３８の他端部には、ウエイト３１を常時回転軸２９方向（図中矢印イで示す方向）に付勢するための付勢手段の１つであるコイルばね４１が外嵌されると共にばね受座金４２が外嵌され、棒端のねじ部４３に螺着されたナット４４により、コイルばね４１の抜け止めがされている。したがって、回転体３０の停止中は、ウエイト３１に遠心力が作用しないので、図４、図５、図７に示すように、ウエイト３１が回転体３０に可及的に近接している。
【００１８】
そして、回転体３０の回転に伴ない、ウエイト３１に前記付勢の方向イと反対方向（図中矢印ロで示す方向）に遠心力が作用し、付勢力に抗してウエイト３１が図６に示すように、回転軸２９中心から離れる方向（図中ロで示す）に漸次水平移動するので、ウエイト３１の慣性モーメントが漸次大きくなる。
したがって、回転体３０の回転開始時には、慣性モーメントが最小であり、駆動モータ３３の起動トルクが小さくてよいから、駆動モータ３３を小形化できる。
【００１９】
上記実施形態によれば、駆動モータ３３を始動し、回転体３０を回転させると、ウエイト３１が回転体３０に対して偏心状に一方向に偏って配設されているので、フレキシブルマウント５との協働作用により、基板２４、取付天板２２、取付板１６を介して座席フレーム６に水平方向の揺動運動が生起し、本体脚フレーム２と背もたれ部４に対して座席７が水平方向に揺動する。したがって、座席７に腰を掛けている使用者に水平方向の心地よい適度の揺れを感じさせ、リラクゼーション効果を発揮させることができ、揺動しない背もたれ部４によって船酔い現象が防止される。また、座席７の揺動とマッサージ装置部の動作を同時に行うことにより、マッサージ効果の増大を図ることができる。
【００２０】
なお、前記座席７の揺動は、マッサージ装置部の動作と同時に或いは別個に行なわせることができる。
そして、前記駆動モータ３３の回転数を、音楽に同期して変化させることにより、水平揺動の強さが変化し、音楽に同期した強・弱の揺れを生起せしめ、より一層のリラクゼーション効果をもたらすことができる。音楽とモータ回転数の同期は、音楽の例えば音の高低或いは強・弱に同期させるか、又は、音楽に揺動制御用即ちモータ回転数制御用データをいれておくことができる。なお、マッサージ装置部も音楽と同期させて動作させてもよい。
【００２１】
この場合、音楽用のスピーカーは、背もたれ部４内に内蔵させることができ、音楽とマッサージによるリラクゼーションに相乗効果が生まれる。
なお、本発明は、上記実施の形態に限定されるものではない。即ち、例えば、本発明は、椅子型マッサージ機以外の椅子にも採用することができる。
【００２２】
【発明の効果】
本発明は、上述のように、床面に置く本体脚フレームと、この本体脚フレームに取り付けられた背もたれ部と、前記本体脚フレームに設けられた座席とを備え、前記座席は、前記本体脚フレーム及び前記背もたれ部に対して揺動可能に設けられており、前記座席に取り付けられた揺動発生手段が、前記背もたれ部を揺動させないで、当該座席を前記本体脚フレーム及び前記背もたれ部に対して強制揺動させることを特徴とするものであるから、座席に腰を掛けた使用者に、心地よい揺動を感じさせて、船酔い現象を防止しつつ、リラクゼーション効果を高めることができる。
【００２３】
この場合、座席が揺動するために、座席上の人体が適度に揺れ、心地よい揺れにより座席上の使用者の緊張感がほぐされる。しかも、座席は、本体脚フレーム及び背もたれ部に対して強制揺動可能に設けられているから、座席が揺動しても、背もたれ部は揺動することがない。背もたれ部が揺動すると上半身が揺らされることとなり、船酔いに似た現象を起こす場合があるが、背もたれ部が本体脚フレームに設けられていることでこれが防止されている。
【００２４】
また、前記座席のフレームに、揺動発生手段が取付けられ、前記座席フレームが複数のフレキシブルマウント及び支持フレームを介して本体脚フレームに取付けられているものであるから、前記揺動発生手段とフレキシブルマウントの協働作用によって、座席を効率的にかつ確実に揺動運動を生起させることができ、また、構造が簡単である。
【００２５】
そして、前記揺動発生手段が、竪回転軸回りに回転する回転体と、回転体に偏心的に装着されたウエイトと、回転体駆動モータとからなるものであるので、構造が簡単でかつ動作が円滑でしかも静かであり、経済的である。さらに、前記ウエイトが支持体を介して回転体の軸心に対して直交する方向に移動可能で、ウエイトをその回転に伴う遠心力に逆らう方向に常時付勢するコイルばね等からなる付勢手段が設けられているものであるから、回転体の回転開始時即ち駆動モータの始動時における起動トルクが小さく、したがって、駆動モータを小形化でき、装置全体をコンパクトにし、軽量化を図ることができる。
【００２６】
また、前記座席の揺動が、任意の音楽に同期して、強・弱変化するように構成されているものであるから、音楽と揺動の相互作用で、リラクゼーション効果をさらに高めることができる。
【図面の簡単な説明】
【図１】本発明の一実施形態を示す一部省略側面図である。
【図２】  図１の左側面図（背面図）である
【図３】同実施形態における本体脚フレームへの座席フレーム取付構造を示す分解斜視図である。
【図４】同実施形態における回転型揺動発生手段の拡大側面図である。
【図５】図４のＡ−Ａ線矢視平面図である。
【図６】同実施形態における回転型揺動発生手段の回転機構部説明斜視図である。
【図７】図４のＢ−Ｂ線断面図である。
【図８】従来のマッサージ機の全体概略斜視図である。
【符号の説明】
１  マッサージ機
２  本体脚フレーム
３  支持フレーム
４  背もたれ部
５  フレキシブルマウント
６  座席フレーム
７  座席
８  回転型揺動発生手段
２９  竪回転軸
３０  回転体
３１  ウエイト
３３  駆動モータ
３８  ウエイト支持棒
４１  付勢手段（コイルばね）
【図１】
0003924345.tif 000002
【図２】
0003924345.tif 000003
【図３】
0003924345.tif 000004
【図４】
0003924345.tif 000005
【図５】
0003924345.tif 000006
【図６】
0003924345.tif 000007
【図７】
0003924345.tif 000008
【図８】
0003924345.tif 000009